(57)【要約】【課題】様々なサイズの情報端末を収納でき、多種多様な物品を整然と効率よく収納できる、操作性、視認性、及び携帯性を高めた情報端末用ケースを提供する。【解決手段】情報端末用ケース１は、ケース本体２と、ケース本体２の見開きの一方の内側面２ａに設けられ情報端末を差し込み収納可能な収納部３とを備え、収納部３は、第１挿入部４と第２挿入部５とからなり、第１挿入部４には、上向きに傾斜した直線状の複数の第１傾斜切込み部６と下向きに傾斜した複数の第２傾斜切込み部７とが形成され、第２挿入部５には、下向きに傾斜した直線状の複数の第３傾斜切込み部８と上向きに傾斜した複数の第４傾斜切込み部９とが形成され、情報端末の四つ角を第１乃至第４傾斜切込み部６乃至９にそれぞれ差し込み、収納するものである。【選択図】図１
0003200626.tif 000002
【実用新案登録請求の範囲】
【請求項１】
左右見開きに構成されたケース本体と、
前記ケース本体の見開きの一方の内側面に設けられ、情報端末を差し込むことで収納可能な収納部と、を備え、
前記収納部は、前記内側面の上部に設けられた第１挿入部と、前記内側面の下部に設けられた第２挿入部と、からなり、
前記第１挿入部には、左側領域に前記ケース本体の左右方向に対して所定角度となるように上向きに傾斜した直線状の複数の第１傾斜切込み部が形成されており、右側領域に前記第１傾斜切込み部に対して線対称となるように下向きに傾斜した複数の第２傾斜切込み部が形成されており、
前記第２挿入部には、左側領域に前記ケース本体の左右方向に対して所定角度となるように下向きに傾斜した直線状の複数の第３傾斜切込み部が形成されており、右側領域に前記第３傾斜切込み部に対して線対称となるように上向きに傾斜した複数の第４傾斜切込み部が形成されており、
前記第１傾斜切込み部、第２傾斜切込み部、第３傾斜切込み部、及び第４傾斜切込み部に情報端末の四つ角をそれぞれ差し込み収納する
情報端末用ケース。
【請求項２】
前記ケース本体に対して着脱自在のポケット収納部を更に備え、
前記ケース本体の中央には磁石による第１着脱部が設けられており、前記ポケット収納部の一端にも磁石による第２着脱部が設けられており、第１着脱部に第２着脱部を装着することで前記ポケット収納部が前記ケース本体と一体となる
請求項１に記載の情報端末用ケース。
【請求項３】
前記ポケット収納部の一方の面にはポケットが設けられており、他方の面は前記情報端末の画面を保護するための保護面が形成されている
請求項２に記載の情報端末用ケース。
【請求項４】
前記ポケット収納部の第２着脱部同士を装着することで複数のポケット収納部を積層して前記ケース本体に装着可能である
請求項１乃至請求項３のいずれか１項に記載の情報端末用ケース。
【請求項５】
前記ケース本体の見開きの他方の内側面に情報端末を収納可能なポケット部を更に有しており、前記ケース本体の前記他方の内側面にはファスナーにより開閉される開閉口が設けられており、当該開閉口を開いた状態では、前記ケース本体の外側より前記開閉口を介して、前記ポケット部より前記情報端末を抜き差しすることが可能である
請求項１乃至請求項４のいずれか１項に記載の情報端末用ケース。
【請求項６】
左右見開きに構成されたケース本体と、
前記ケース本体の見開きの一方の内側面に設けられ、情報端末を差し込むことで収納可能な収納部と、を備え、
前記収納部は、前記内側面の上部に設けられた第１挿入部と、前記内側面の下部に設けられた第２挿入部と、からなり、
前記第１挿入部には、前記ケース本体の左右方向に直線状に延びた複数の第１切込み部が所定間隔をもって形成されており、
前記第２挿入部には、前記ケース本体の左右方向に直線状に延びた第２切込み部が所定間隔をもって形成されており、
前記第１傾斜切込み部のうちの１つと前記第２傾斜切込み部に、前記情報端末の上部と下部をそれぞれ差し込み収納する
情報端末用ケース。
【請求項７】
前記ケース本体に対して着脱自在のポケット収納部を更に備え、
前記ケース本体の中央には磁石による第１着脱部が設けられており、前記ポケット収納部の一端にも磁石による第２着脱部が設けられており、第１着脱部に第２着脱部を装着することで前記ポケット収納部が前記ケース本体と一体となる
請求項６に記載の情報端末用ケース。
【請求項８】
前記ポケット収納部の一方の面にはポケットが設けられており、他方の面は前記情報端末の画面を保護するための保護面が形成されている
請求項７に記載の情報端末用ケース。
【請求項９】
前記ポケット収納部の第２着脱部同士を装着することで複数のポケット収納部を積層して前記ケース本体に装着可能である
請求項６乃至請求項８のいずれか１項に記載の情報端末用ケース。
【請求項１０】
前記ケース本体は、皮又は合成皮革でできており、
前記ケース本体の外周にはファスナーが形成されており、前記ケース本体は、見開き状態から閉じた状態にすることで、当該ファスナーにより閉じることが可能である
請求項１乃至請求項９のいずれか１項に記載の情報端末用ケース。
【考案の詳細な説明】
【技術分野】
【０００１】
本考案は、スマートフォンやタブレット端末等の情報端末を収納することができるデジタルガシェットオーガナイザ等の情報端末用ケースに関する。
【背景技術】
【０００２】
従来、スマートフォンやタブレット端末は、情報端末として広く用いられている。これら情報端末は、日常的に携帯して使用されるものであることから、携帯時に画面等に傷が付かないように保護し、持ち運びを便利にするために、種々の特徴を備えた情報端末用ケースが提案されている。
【０００３】
例えば、特許文献１では、タブレット端末を収納するポケット部を備え、ノートを差し込む差込部を備え、タブレット端末とノートの両方について利用の利便性を向上させるファスナー付きノートケースが開示されている。
【先行技術文献】
【特許文献】
【０００４】
【特許文献１】実用新案登録第３１８１５９２号公報
【考案の概要】
【考案が解決しようとする課題】
【０００５】
しかしながら、タブレット端末は、タッチパネルの画面サイズ、製品自体の大きさが多様化しているが、特許文献１では、多様化する画面サイズ等に対応することには着目されておらず、そのための工夫もなされていなかった。
【０００６】
更に、ポケット式で、ＰＶＣ等の透明部材からなる窓部を介して情報端末を操作する場合、窓部の劣化により、視認性及び操作性が悪くなるおそれもあった。
【０００７】
そして、今日では、ビジネスマンは、手帳、ノート、名刺、筆記具、スマートフォンやタブレット端末の情報端末、及び情報端末をパソコン等と接続するためのケーブル等、多くの物品を携帯することが多いが、それらをとりまとめて携帯できるデジタルガシェットオーガナイザは未だ存在しておらず、その実現が嘱望されていた。
【０００８】
本考案は、このような課題に鑑みてなされたものであり、様々なサイズの情報端末を収納することでき、多種多様な物品を整然と効率よく収納することができる、操作性、視認性、及び携帯性を高めた情報端末用ケースを提供することを目的とする。
【課題を解決するための手段】
【０００９】
上記課題を解決するため、本考案の第１の態様に係る情報端末用ケースは、左右見開きに構成されたケース本体と、前記ケース本体の見開きの一方の内側面に設けられ、情報端末を差し込むことで収納可能な収納部と、を備え、前記収納部は、前記内側面の上部に設けられた第１挿入部と、前記内側面の下部に設けられた第２挿入部と、からなり、前記第１挿入部には、左側領域に前記ケース本体の左右方向に対して所定角度となるように上向きに傾斜した直線状の複数の第１傾斜切込み部が形成されており、右側領域に前記第１傾斜切込み部に対して線対称となるように下向きに傾斜した複数の第２傾斜切込み部が形成されており、前記第２挿入部には、左側領域に前記ケース本体の左右方向に対して所定角度となるように下向きに傾斜した直線状の複数の第３傾斜切込み部が形成されており、右側領域に前記第３傾斜切込み部に対して線対称となるように上向きに傾斜した複数の第４傾斜切込み部が形成されており、前記第１傾斜切込み部、第２傾斜切込み部、第３傾斜切込み部、及び第４傾斜切込み部に情報端末の四つ角をそれぞれ差し込み収納する。
【００１０】
さらに、本考案の第２の態様に係る情報端末用ケースは、左右見開きに構成されたケース本体と、前記ケース本体の見開きの一方の内側面に設けられ、情報端末を差し込むことで収納可能な収納部と、を備え、前記収納部は、前記内側面の上部に設けられた第１挿入部と、前記内側面の下部に設けられた第２挿入部と、からなり、前記第１挿入部には、前記ケース本体の左右方向に直線状に延びた複数の第１切込み部が所定間隔をもって形成されており、前記第２挿入部には、前記ケース本体の左右方向に直線状に延びた第２切込み部が所定間隔をもって形成されており、前記第１傾斜切込み部のうちの１つと前記第２傾斜切込み部に、前記情報端末の上部と下部をそれぞれ差し込み収納する。
【考案の効果】
【００１１】
本考案によれば、様々なサイズの情報端末を収納することでき、多種多様な物品を整然と効率よく収納することができる、操作性、視認性、及び携帯性を高めた情報端末用ケースを提供することができる。
【図面の簡単な説明】
【００１２】
【図１】本考案の第１実施形態の情報端末用ケースの内部構成を示す図である。
【図２】本考案の第１実施形態の情報端末用ケースの表面構成を示す図である。
【図３】本考案の第１実施形態に係る情報端末用ケースに実際に情報端末を収納した様子を示す図である。
【図４】（ａ）は本考案の第１実施形態に係る情報端末用ケースの付属ポケット部の収納面側の構成図、（ｂ）は該付属ポケット部の保護面側の構成図である。
【図５】本考案の第２実施形態に係る情報端末用ケースの内部構成を示す図である。
【図６】本考案の第２実施形態に係る情報端末用ケースに実際に情報端末を収納した様子を示す図である。
【考案を実施するための形態】
【００１３】
以下、図面を参照しつつ本考案の実施形態について説明する。
【００１４】
＜第１実施形態＞
【００１５】
図１には本考案の第１実施形態の情報端末用ケースの内部構成を示し、図２には情報端末用ケースの表面構成を示し、説明する。
【００１６】
図１に示されるように、情報端末用ケース１は、左右見開きに構成されたケース本体２を備えている。そして、ケース本体２の見開きの一方の内側面２ａには、情報端末としてのタブレット端末等を差し込むことで収納する収納部３が設けられている。
【００１７】
収納部３は、ケース本体２の内側面２ａの上部に設けられた第１挿入部４と、内側面２ａの下部に設けられた第２挿入部５とからなる。
【００１８】
第１挿入部４では、左側領域４ａにケース本体２の左右方向に対して所定角度となるように上向きに傾斜した直線状の複数の傾斜切込み部６ａ，６ｂ，６ｃ（第１傾斜切込み部６）が形成されており、右側領域４ｂに第１傾斜切込み部６に対して線対称となるように下向きに傾斜した複数の傾斜切込み部７ａ，７ｂ，７ｃ（第２傾斜切込み部７）が形成されている。傾斜切込み部６ａ，６ｂ，６ｃの傾斜角度は同じであり、ケース本体２の左右方向に所定間隔離れて形成されている。同様に、傾斜切込み部７ａ，７ｂ，７ｃの傾斜角度は同じであり、ケース本体２の左右方向に所定間隔離れて形成されている。
【００１９】
第２挿入部５では、左側領域５ａにケース本体２の左右方向に対して所定角度となるように下向きに傾斜した直線状の複数の傾斜切込み部８ａ，８ｂ，８ｃ（第３傾斜切込み部８）が形成されており、右側領域５ｂに第３傾斜切込み部８に対して線対称となるように上向きに傾斜した複数の傾斜切込み部９ａ，９ｂ，９ｃ（第４傾斜切込み部９）が形成されている。傾斜切込み部８ａ，８ｂ，８ｃの傾斜角度は同じであり、ケース本体２の左右方向に所定間隔離れて形成されている。同様に、傾斜切込み部９ａ，９ｂ，９ｃの傾斜角度は同じであり、ケース本体２の左右方向に所定間隔離れて形成されている。
【００２０】
そして、第１傾斜切込み部６、第２傾斜切込み部７、第３傾斜切込み部８、及び第４傾斜切込み部９に、情報端末の四つ角をそれぞれ差し込み収納するようになっている。より詳細には、傾斜切込み部６ａ，７ａが対応しており、傾斜切込み部６ｂ，７ｂが対応しており、傾斜切込み部６ｃ，７ｃが対応しており、情報端末の上部の２つの角部の差込みに際してはこれらの組が同時に使用される。傾斜切込み部８ａ，９ａが対応しており、傾斜切込み部８ｂ，９ｂが対応しており、傾斜切込み部８ｃ，９ｃが対応しており、情報端末の下部の２つの角部の差込みに際してはこれらの組が同時に使用される。そして、これらの組を任意に組み合わせて使うことで、多様なサイズの情報端末をしっかりと装着できるようになっている。
【００２１】
なお、この第１実施形態の情報端末用ケース１では、第１乃至第４傾斜切込み部６乃至９の各傾斜切込み部は、ケース本体２の左右方向に対して約４５度の傾斜角で直線状に形成されていたが、傾斜角度は、これには限定されない。また、第１乃至第４傾斜切込み部６乃至９には、各３本の傾斜切込み部が形成されていたが、傾斜切込み部の数は、これには限定されないことは勿論である。
【００２２】
一方、ケース本体２の見開きの他方の内側面２ｂには、右領域の下方に、情報端末としてのスマートフォン等を差し込むことで収納するポケット部１０が設けられている。さらに、内側面２ｂの略中央には、ケース本体２の上下方向に亘り開閉口１１が形成されており、ファスナー１２により開閉自在となっている。従って、ファスナー１２を操作して開閉口１１を開いた状態では、ケース本体１の外側より開閉口１１を介して内側面２ｂのポケット部１０に収納された情報端末を出し入れすることできる。
【００２３】
ケース本体２の内側面２ｂのポケット部１０の上方には、情報端末用の接続ケーブルを収納するための収納部１３が設けられている。この例では、２本の切込み１３ａ，１３ｂが形成されており、一方の切込みから接続ケーブルを差し込み、他方の切込みから接続ケーブルを出すことで、保持部１３ｃにより接続ケーブルが保持される。
【００２４】
ケース本体２の内側面２ｂの左領域の上方には名刺やカードを収納するための収納部１４が設けられている。この例では、名刺やカードを差し込むための切込み１４ａ乃至１４ｃが形成されている。さらに、収納部１４の下方には、ペン等を差し込むための収納部１５が設けられている。この例では、収納部１５には、複数の切込み１５ａ乃至１５ｆが形成されているので、任意の組み合わせにより多様なサイズのペンを収納できる。
【００２５】
尚、ここでは不図示であるが、この収納部１５の切込み１５ａ乃至１５ｆに付属のベルトを通すことで、ＷｉＦｉポケットルーターやモバイルバッテリ等を固定することもできるようになる。このとき、付属のベルトを差し込む切込み１５ａ乃至１５ｆを任意に選ぶことで、固定すべき対象の大きさに適合させることができる。
【００２６】
ケース本体２の外周にはファスナー１６が形成されており、ケース本体２は、見開き状態から閉じた状態にすることで、当該ファスナー１６により閉じることが可能となっている。但し、これに限定されず、見開き状態から閉じた状態として、ベルトにより閉じた状態を保持するような構成としてもよい。
【００２７】
図２に示されるように、情報端末用ケース１の外表面の見開き状態としたときの略中央部には、ケース本体２の上下方向に亘り把持部１７が形成されている。情報端末用ケース１を折りたたんだ状態でファスナー１６を閉めたときに、この把持部１７を持って携帯することが可能となっている。
【００２８】
このような構成の情報端末用ケース１に、実際に情報端末としてのタブレット端末とスマートフォンを収納した様子は図３に示される通りである。
【００２９】
同図に示されるように、ケース本体２の内側面２ａの第１挿入部４では、第１傾斜切込み部６のうちの傾斜切込み部６ａが用いられ、第２傾斜切込み部７のうちの傾斜切込み部７ａが用いられ、情報端末としてのタブレット端末１００の上部の２つの角が挿入され保持されている。ケース本体２ａの第２挿入部５では、第３傾斜切込み部８のうちの傾斜切込み部８ａが用いられ、第４傾斜切込み部９のうちの傾斜切込み部９ａが用いられ、情報端末としてのタブレット端末１００の下部の２つの角が挿入され保持されている。これにより、タブレット端末１００の四隅が第１乃至第４傾斜切込み部６乃至９により保持されるので、ケース本体２を見開きにした状態で、立てるように持ちながら操作しても、タブレット端末１００が外れてしまうこともない。また、四隅を固定しているだけなので、タッチパネル上で直接操作（タップ等）することができる。
【００３０】
一方、ケース本体２の内側面２ｂの右領域の下方に、情報端末としてのスマートフォン等１０１が差し込まれて収納されている。ファスナー１２を操作して開閉口１１を開いた状態では、ケース本体１の外側より開閉口１１を介して内側面２ｂのポケット部１０に収納されたスマートフォン１０１を出し入れできる。
【００３１】
次に、図４（ａ）には本考案の第１実施形態に係る情報端末用ケースで採用される付属ポケット部の収納面側の構成を示し、図４（ｂ）には該付属ポケット部の情報端末画面の保護面側の構成を示し、説明する。
【００３２】
図４（ａ）に示されるように、情報端末用ケース１のケース本体２に対して着脱自在な付属ポケット部２０の一方の面２０ａには、左領域に手帳やカードを挿入することで収納できる収納部２２，２３が設けられている。さらに、右領域にはペン等を収納できる収納部２４が設けられている。この例では、収納部２４には、複数の切込み２４ａ乃至２４ｆが形成されているので、任意の組み合わせにより多様なサイズのペンを収納できる。ここでは不図示であるが、この収納部２４の切込み２４ａ乃至２４ｆに付属のベルトを通すことで、ＷｉＦｉポケットルーターやモバイルバッテリ等を固定することもできるようになる。このとき、付属のベルトを差し込む切込み２４ａ乃至２４ｆを任意に選ぶことで、固定すべき対象の大きさに適合させることができる。収納部２４の下方には、名刺等を挿入することで収納できる収納部２５が設けられている。
【００３３】
そして、ケース本体２の略中央には磁石からなる第１着脱部１８ａ，１８ｂが設けられており、付属ポケット部２０の一端には、磁石からなる第２着脱部２１ａ，２１ｂが設けられており、第１着脱部１８ａ，１８ｂに第２着脱部２１ａ，２１ｂを装着することで、ポケット収納部２０がケース本体２と一体となる。また、ポケット収納部２０の第２着脱部２１ａ，２１ｂ同士を磁力により装着することで、複数のポケット収納部２０…を積層してケース本体２に装着することも可能である。
【００３４】
図４（ｂ）に示されるように、付属ポケット部２０の他方の面２０ｂは、情報端末としてのタブレット端末等の画面を保護するための保護面が形成されている。この保護面は画面を傷つけないように起毛素材により構成されている。
【００３５】
このような携帯端末用ケース１は、皮又は合成皮革を所定のサイズ、形状に成型した各部を縫合、あるいは接着するなどして作られる。但し、少なくとも一部の部材に他の素材を用いてもよいことは勿論である。
【００３６】
以上説明したように、本考案の第１実施形態によれば、収納部３の第１挿入部４に形成された第１、第２傾斜切込み部６，７と、第２挿入部５に形成された第３、第４傾斜切込み部８，９を構成する傾斜切込み部の組み合わせにより、多様なサイズの情報端末の四隅をしっかりと保持し、収納することが可能となる。このとき、四隅を保持しただけで、情報端末の画面は露出しているので、ダイレクトにタッチパネル上でタップ等の操作をすることができるので、操作性も維持することができる。
【００３７】
さらに、ケース本体１の内側面２ｂに形成されたポケット部１０によりスマートフォン等の情報端末を収納することができる。このポケット部１０の開放側に近接するようにケース本体１の上下方向に開閉口１１が形成されているので、ファスナー１２を操作して開閉口１１を開いた状態にすれば、ケース本体１の外側より開閉口１１を介して内側面２ｂのポケット部１０に収納された情報端末を出し入れすることできる。これは、ケース本体１を見開き状態にしたくても迅速に情報端末の出し入れができることを意味し、ユーザの利便性を高めている。
【００３８】
さらに、ケース本体２には、磁石からなる着脱部により、付属ポケット部２０を装着することができるので、ユーザは自己の携帯品の種類に応じて、付属ポケット２０の着脱することで情報端末用ケースを簡易にカスタマイズすることができる。しかも、この付属ポケット２０は、各着脱部同士を磁力によりつなげることで、簡易に複数枚の積層構造とするこができる。
【００３９】
＜第２実施形態＞
【００４０】
図５には本考案の第２実施形態に係る情報端末用ケースの内部構成を示し説明する。ここでは、第１実施形態と異なる特徴部分のみを説明する。
【００４１】
同図に示されるように、情報端末用ケース３０のケース本体３１の見開き状態にしたときの右側の内側面３１ａには、スマートフォン等の情報端末を収納するための収納部３２が設けられている。そして、この収納部３２は、内側面３１ａの上部に設けられた第１挿入部３３と、内側面３１ａの下部に設けられた第２挿入部３４からなる。
【００４２】
第１挿入部３３には、ケース本体３１の左右方向に直線状に延びた複数の切込み部３５ａ，３５ｂ，３５ｃ（第１切込み部３５）が所定間隔をもって形成されている。この例では、３つの切込み部が形成されているが、数はこれに限定されない。一方、第２挿入部３４には、ケース本体３１の左右方向に直線状に延びた第２切込み部３６が設けられている。そして、情報端末の操作ボタンに対応した開口部３７が設けられている。
【００４３】
したがって、情報端末は、第１切込み部３５のうちの１つと第２切込み部３６に、その上部と下部をそれぞれ差し込むことで収納される。
【００４４】
一方、ケース本体３１の見開き状態にしたときの左側の内側面３１ｂには、名刺やカードを収納するための収納部３８が設けられている。この収納部３８には、カードや名刺等を差し込むための複数の切込み３８ａ乃至３８ｄが形成されている。さらに、切込み３９からは収納部３８内部に手帳を収納することが可能となっている。
【００４５】
以上のほか、この携帯端末用ケース３０においても、略中央部に磁石からなる着脱部４０ａ，４０ｂが設けられているので、図４で前述したような付属ポケット部２０を着脱することが可能となっている。
【００４６】
このような情報端末用ケース３０に実際に情報端末を収納した様子は図６に示される通りである。同図に示されるように、第１挿入部３３の第１切込み部３５のうち切込み部３５ｂより情報端末としてのスマートフォン１０１の上部が差し込まれ、切込み部３５ｃよりその差し込まれた上部が露出している。第２挿入部３４の切込み部３６からはスマートフォン１０１の下部が差し込まれて保持されている。そして、スマートフォン１０１の操作ボタンに対応した開口部３７から操作ボタンが露出している。このように、第１挿入部３３にスマートフォン１０１の上部を差し込み、第２挿入部３４に下部を差し込むことで保持される。このとき、スマートフォン１０１の画面のほとんどの領域は露出しているので、タッチパネルをダイレクトに操作することが可能である。
【００４７】
以上説明したように、本考案の第２実施形態によれば、収納部３２の第１挿入部３３には、ケース本体３１の左右方向に直線状に延びた複数の切込み部３５ａ，３５ｂ，３５ｃ（第１切込み部３５）が所定間隔をもって形成され、第２挿入部３４には、ケース本体３１の左右方向に直線状に延びた切込み部３６が設けられているので、情報端末は、第１切込み部３５のうちの１つと第２切込み部３６に、その上部と下部をそれぞれ差し込むことで簡易に収納される。
【００４８】
以上、本考案の一実施形態について説明したが、本考案はこれに限定されることなく、その趣旨を逸脱しない範囲で種々の改良・変更が可能であることは勿論である。
【００４９】
例えば、上記実施形態では、ケース本体の内側面の一方に情報端末を収納するための収納部を形成する例を示したが、これには限定されず、第１実施形態で採用した収納部３と第２実施形態で採用した収納部３２とを左右に共に有する構成としてもよい。この場合には一方の収納部にタブレット端末を収納し、他方の収納部にスマートフォンを収納するとよいであろう。
【符号の説明】
【００５０】
１…情報端末用ケース、２…ケース本体、３…収納部、４…第１挿入部、５…第２挿入部、６…第１傾斜切込み部、７…第２傾斜切込み部、８…第３傾斜切込み部、９…第４傾斜切込み部、１０…ポケット部、１１…開閉口、１２…ファスナー、１８ａ，１８ｂ…第１着脱部、２０…付属ポケット部、２１ａ，２１ｂ…第２着脱部、３０…情報端末用ケース、３１…ケース本体、３２…収納部、３３…第１挿入部、３４…第２挿入部、３５…切込み部、３６…切込み部。
【図１】
0003200626.tif 000003
【図２】
0003200626.tif 000004
【図３】
0003200626.tif 000005
【図４】
0003200626.tif 000006
【図５】
0003200626.tif 000007
【図６】
0003200626.tif 000008
【手続補正書】
【提出日】平成27年8月17日(2015.8.17)
【手続補正１】
【補正対象書類名】実用新案登録請求の範囲
【補正対象項目名】全文
【補正方法】変更
【補正の内容】
【実用新案登録請求の範囲】
【請求項１】
左右見開きに構成されたケース本体と、
前記ケース本体の見開きの一方の内側面に設けられ、情報端末を差し込むことで収納可能な収納部と、を備え、
前記収納部は、前記内側面の上部に設けられた第１挿入部と、前記内側面の下部に設けられた第２挿入部と、からなり、
前記第１挿入部には、左側領域に前記ケース本体の左右方向に対して所定角度となるように上向きに傾斜した直線状の複数の第１傾斜切込み部が形成されており、右側領域に前記第１傾斜切込み部に対して線対称となるように下向きに傾斜した複数の第２傾斜切込み部が形成されており、
前記第２挿入部には、左側領域に前記ケース本体の左右方向に対して所定角度となるように下向きに傾斜した直線状の複数の第３傾斜切込み部が形成されており、右側領域に前記第３傾斜切込み部に対して線対称となるように上向きに傾斜した複数の第４傾斜切込み部が形成されており、
前記第１傾斜切込み部、第２傾斜切込み部、第３傾斜切込み部、及び第４傾斜切込み部に情報端末の四つ角をそれぞれ差し込み収納する
情報端末用ケース。
【請求項２】
前記ケース本体に対して着脱自在のポケット収納部を更に備え、
前記ケース本体の中央には磁石による第１着脱部が設けられており、前記ポケット収納部の一端にも磁石による第２着脱部が設けられており、第１着脱部に第２着脱部を装着することで前記ポケット収納部が前記ケース本体と一体となる
請求項１に記載の情報端末用ケース。
【請求項３】
前記ポケット収納部の一方の面にはポケットが設けられており、他方の面は前記情報端末の画面を保護するための保護面が形成されている
請求項２に記載の情報端末用ケース。
【請求項４】
前記ポケット収納部の第２着脱部同士を装着することで複数のポケット収納部を積層して前記ケース本体に装着可能である
請求項２に記載の情報端末用ケース。
【請求項５】
前記ケース本体の見開きの他方の内側面に情報端末を収納可能なポケット部を更に有しており、前記ケース本体の前記他方の内側面にはファスナーにより開閉される開閉口が設けられており、当該開閉口を開いた状態では、前記ケース本体の外側より前記開閉口を介して、前記ポケット部より前記情報端末を抜き差しすることが可能である
請求項１乃至請求項４のいずれか１項に記載の情報端末用ケース。
【請求項６】
左右見開きに構成されたケース本体と、
前記ケース本体の見開きの一方の内側面に設けられ、情報端末を差し込むことで収納可能な収納部と、を備え、
前記収納部は、前記内側面の上部に設けられた第１挿入部と、前記内側面の下部に設けられた第２挿入部と、からなり、
前記第１挿入部には、前記ケース本体の左右方向に直線状に延びた複数の第１切込み部が所定間隔をもって形成されており、
前記第２挿入部には、前記ケース本体の左右方向に直線状に延びた第２切込み部が所定間隔をもって形成されており、
前記第１切込み部のうちの１つと前記第２切込み部に、前記情報端末の上部と下部をそれぞれ差し込み収納する
情報端末用ケース。
【請求項７】
前記ケース本体に対して着脱自在のポケット収納部を更に備え、
前記ケース本体の中央には磁石による第１着脱部が設けられており、前記ポケット収納部の一端にも磁石による第２着脱部が設けられており、第１着脱部に第２着脱部を装着することで前記ポケット収納部が前記ケース本体と一体となる
請求項６に記載の情報端末用ケース。
【請求項８】
前記ポケット収納部の一方の面にはポケットが設けられており、他方の面は前記情報端末の画面を保護するための保護面が形成されている
請求項７に記載の情報端末用ケース。
【請求項９】
前記ポケット収納部の第２着脱部同士を装着することで複数のポケット収納部を積層して前記ケース本体に装着可能である
請求項７に記載の情報端末用ケース。
【請求項１０】
前記ケース本体は、皮又は合成皮革でできており、
前記ケース本体の外周にはファスナーが形成されており、前記ケース本体は、見開き状態から閉じた状態にすることで、当該ファスナーにより閉じることが可能である
請求項１乃至請求項９のいずれか１項に記載の情報端末用ケース。
【手続補正２】
【補正対象書類名】明細書
【補正対象項目名】００１０
【補正方法】変更
【補正の内容】
【００１０】
さらに、本考案の第２の態様に係る情報端末用ケースは、左右見開きに構成されたケース本体と、前記ケース本体の見開きの一方の内側面に設けられ、情報端末を差し込むことで収納可能な収納部と、を備え、前記収納部は、前記内側面の上部に設けられた第１挿入部と、前記内側面の下部に設けられた第２挿入部と、からなり、前記第１挿入部には、前記ケース本体の左右方向に直線状に延びた複数の第１切込み部が所定間隔をもって形成されており、前記第２挿入部には、前記ケース本体の左右方向に直線状に延びた第２切込み部が所定間隔をもって形成されており、前記第１切込み部のうちの１つと前記第２切込み部に、前記情報端末の上部と下部をそれぞれ差し込み収納する。